(57)【要約】【課題】複数の情報画像を表示可能な表示装置において、動作開始時の無表示時間を短縮させる。【解決手段】表示装置１は、複数の情報画像６、７、８１、８２、９１，９２を表示可能な表示パネル２と、情報画像６、７、８１、８２、９１，９２の画像データを記憶しておく記憶手段３１と、記憶手段３１から転送された画像データを記憶する画像メモリ４１と、画像メモリ４１に記憶された画像データに基いて情報画像６、７、８１、８２、９１，９２を表示パネル２に表示させる制御手段３、４とを備えた表示装置１であって、制御手段３、４が、表示装置１の動作開始時に、複数の画像データのうち一部の画像データを先行させて画像メモリ４１に転送し、この一部の画像データに基いて複数の情報画像６、７、８１、８２、９１，９２のうち一部の情報画像７、９１を先行させて表示パネル２に表示させる。【選択図】図１
2008275787.tif 000002
【特許請求の範囲】
【請求項１】
複数の情報画像を表示可能な表示パネルと、
前記情報画像の画像データを記憶しておく記憶手段と、
前記記憶手段から転送された前記画像データを記憶する画像メモリと、
前記画像メモリに記憶された前記画像データに基いて前記情報画像を前記表示パネルに表示させる制御手段とを備えた表示装置であって、
前記制御手段は、表示装置の動作開始時に、前記複数の前記画像データのうち一部の該画像データを先行させて前記画像メモリに転送し、該一部の該画像データに基いて該複数の前記情報画像のうち一部の該情報画像を先行させて前記表示パネルに表示させることを特徴とする表示装置。
【請求項２】
前記制御手段は、前記一部の前記情報画像を先行させて前記表示パネルに表示させた後に、前記複数の前記画像データのうち残部の該画像データを前記画像メモリに転送し、該残部の該画像データに基いて該複数の該情報画像のうち残部の該情報画像を該表示パネルに表示させることを特徴とする請求項１に記載の表示装置。
【請求項３】
情報を物理量として表す前記情報画像は、目盛を構成する目盛画像と、該目盛画像を指し示すように構成された指針画像とを備え、
前記制御手段は、前記物理量の増減にしたがって前記指針画像が前記目盛画像に沿って動くように前記情報画像を表示させることを特徴とする請求項１または請求項２に記載の表示装置。
【請求項４】
前記一部の前記情報画像は、前記残部の該情報画像より優先度の高い情報を表すことを特徴とする請求項１ないし請求項３のいずれか一項に記載の表示装置。
【請求項５】
先行させて表示させる前記情報画像を、前記複数の該情報画像から選択する選択手段を備えることを特徴とする請求項１ないし請求項４のいずれか一項に記載の表示装置。
【発明の詳細な説明】
【技術分野】
【０００１】
本発明は、複数の情報画像を表示可能な表示装置に関するものである。
【背景技術】
【０００２】
車両用の表示装置として、情報である当該車両の速度を表す情報画像や、情報である当該車両のエンジン回転数を表す情報画像等の、複数の情報画像を表示可能な表示装置が開示されている（特許文献１を参照）。この表示装置は、これらの複数の情報画像が、マトリックス状に複数の画素が形成されている液晶パネル等の表示パネルに表示されるように構成されている。
【特許文献１】特開平９−１２３８４８号公報
【発明の開示】
【発明が解決しようとする課題】
【０００３】
上記背景技術においては、ＲＯＭ（に各情報画像の画像データを記憶させておき、ＲＯＭから複数の画像データを画像メモリに転送して記憶させ、画像メモリに記憶された画像データに基いて表示パネルに複数の情報画像を表示させる。しかし、各画像データのデータ容量が大きいため、ＲＯＭから複数の画像データを画像メモリに転送して記憶させるには時間を要する。このため、表示装置の動作開始時において、表示パネルが無表示状態になる時間が長くなるという問題が生じている。
【０００４】
本発明は、このような事情を考慮してなされたものであり、複数の情報画像を表示可能な表示装置において、動作開始時の無表示時間を短縮させることを目的とする。
【課題を解決するための手段】
【０００５】
本発明は上記目的を達成するため、以下の技術的手段を採用する。
【０００６】
請求項１に記載の表示装置は、複数の情報画像を表示可能な表示パネルと、情報画像の画像データを記憶しておく記憶手段と、記憶手段から転送された画像データを記憶する画像メモリと、画像メモリに記憶された画像データに基いて情報画像を表示パネルに表示させる制御手段とを備えた表示装置であって、制御手段が、表示装置の動作開始時に、複数の画像データのうち一部の画像データを先行させて画像メモリに転送し、この一部の画像データに基いて複数の情報画像のうち一部の情報画像を先行させて表示パネルに表示させることを特徴とする。
【０００７】
この構成では、表示装置の動作開始時に、複数の画像データのうち一部の画像データを先行させて画像メモリに転送し、この一部の画像データに基いて複数の情報画像のうち一部の情報画像を先行させて表示パネルに表示させる。これにより、複数の画像データの全部を画像メモリに転送して、複数の情報画像の全部を表示パネルに表示させる場合と比較して、表示装置の動作開始時から情報画像を表示させるまでの時間を短縮できる。即ち、表示装置の動作開始時の無表示時間を短縮できる。
【０００８】
請求項２に記載の表示装置は、制御手段が、一部の情報画像を先行させて表示パネルに表示させた後に、複数の画像データのうち残部の画像データを画像メモリに転送し、この残部の画像データに基いて複数の情報画像のうち残部の情報画像を表示パネルに表示させることを特徴とする。これにより、上述の効果を得つつ、複数の情報画像の全部を表示パネルに表示できる。
【０００９】
請求項３に記載の表示装置は、情報を物理量として表す情報画像が、目盛を構成する目盛画像と、目盛画像を指し示すように構成された指針画像とを備え、制御手段が、物理量の増減にしたがって指針画像が目盛画像に沿って動くように情報画像を表示させることを特徴とする。これにより、指針画像を備えた情報画像によって、物理量を的確に表すことができる。
【００１０】
請求項４に記載の表示装置は、一部の情報画像が、残部の情報画像より優先度の高い情報を表すことを特徴とする。これにより、優先度の高い情報を早く知らせることができる。
【００１１】
請求項５に記載の表示装置は、先行させて表示させる情報画像を、複数の情報画像から選択する選択手段を備えることを特徴とする。これにより、先行させて表示させる情報画像を変更できる。
【発明を実施するための最良の形態】
【００１２】
以下、本発明による表示装置を図面に基づいて説明する。
【００１３】
図１に示す表示装置１は、例えば、車載用の表示装置として使用され、表示パネルである液晶パネル２と、制御手段であるＣＰＵ（セントラル・プロセッシング・ユニット）３と描画ＩＣ（集積回路）４と、記憶手段であるＦＬＡＳＨＲＯＭ３１と、記憶データの書き換えが可能な画像メモリ４１とを備える。
【００１４】
マトリックス状に複数の画素２１が形成されている液晶パネル２は、図示しない薄膜トランジスタ（ＴＦＴ）によって駆動されるタイプのアクティブマトリックス方式の液晶パネルである。また、各画素２１は、赤色画素と緑色画素と青色画素を内蔵し、ＴＦＴのゲートに電圧を印加することによって各画素２１において赤色画素と緑色画素と青色画素に印加する電圧を制御し、これにより、各画素２１において赤色画素と緑色画素と青色画素の各光透過率を制御する。図示しない白色光を発する発光ダイオードが、液晶パネル２の背後に配置されて液晶パネル２を透過照明する。赤色画素と緑色画素と青色画素の各光透過率が制御されている各画素２１を発光ダイオードが透過照明することによって、液晶パネル２にフルカラー表示をさせる。
【００１５】
ＣＰＵ３は、情報である当該自動車のエンジン回転数や当該自動車の速度やインジケータ／ウォーニング情報を、回転センサ５１や速度センサ５２やインジケータ／ウォーニングセンサ５３の信号として取り込み、これらを描画ＩＣ４に入力させる。ＣＰＵ３は、当該自動車のイグニッションスイッチ１１を介してバッテリ１２から給電されて動作する。
【００１６】
回転センサ５１は、当該自動車のエンジン回転数を検出するセンサであり、速度センサ５２は、当該自動車の速度を検出するセンサである。インジケータ／ウォーニングセンサ５３は、当該自動車に備わる機器の作動状態を報知するインジケータや当該自動車の異常を警告するウォーニングに関するセンサである。
【００１７】
ＦＬＡＳＨＲＯＭ３１には、図２に示す情報画像である回転メータ画像６と、情報画像である速度メータ画像７と、情報画像であるインジケータ／ウォーニング画像９１、９２等の各画像データが記憶されている。
【００１８】
ＣＰＵ３からの指示により、画像データがＦＬＡＳＨＲＯＭ３１から画像メモリ４１へ転送され、描画ＩＣ４は、画像メモリ４１に記憶された画像データと、入力したエンジン回転数や速度やインジケータ／ウォーニングの各情報とに基いて、各画素２１において赤色画素と緑色画素と青色画素に印加する電圧を制御し、複数の画素２１の各表示状態を制御する。これにより、図２に示すように、回転メータ画像６や、速度メータ画像７や、インジケータ／ウォーニング画像９１、９２等の複数の情報画像を液晶パネル２に表示させる。
【００１９】
回転メータ画像６は、当該自動車のエンジン回転数を表す画像であり、目盛を構成する目盛画像６２と、文字を構成する文字画像６３と、目盛画像６２と文字画像６３とを指し示すように構成された指針画像６１とを備える。ＣＰＵ３と描画ＩＣ４は、画像メモリ４１に記憶された回転メータ画像６の画像データと、入力した当該自動車のエンジン回転数とに基いて、エンジン回転数の増減にしたがって指針画像６１が目盛画像６２に沿って（矢印Ｐ方向へ）動く（回動する）ように回転メータ画像６を表示させる。これにより、指針画像６１を備えた回転メータ画像６によって当該自動車のエンジン回転数を的確に表すことができる。
【００２０】
速度メータ画像７は、当該自動車の速度を表す画像であり、目盛を構成する目盛画像７２と、文字を構成する文字画像７３と、目盛画像７２と文字画像７３とを指し示すように構成された指針画像７１とを備える。ＣＰＵ３と描画ＩＣ４は、画像メモリ４１に記憶された速度メータ画像７の画像データと、入力した当該自動車の速度とに基いて、速度の増減にしたがって指針画像７１が目盛画像７２に沿って（矢印Ｑ方向へ）動く（回動する）ように速度メータ画像７を表示させる。これにより、指針画像７１を備えた速度メータ画像７によって当該自動車の速度を的確に表すことができる。
【００２１】
また、情報画像である水温メータ画像８１は、当該自動車のエンジン冷却水温度を表す画像であり、情報画像である燃料メータ画像８２は、当該自動車の残存燃料量を表す画像である。これらも、同様にして、当該自動車のエンジン冷却水温度と当該自動車の残存燃料量を、それぞれ、的確に表すことができる。
【００２２】
インジケータ／ウォーニング画像９１、９２は、インジケータとウォーニングを表す画像であり、画像メモリ４１に記憶されたインジケータ／ウォーニング画像９１、９２の画像データと、インジケータ／ウォーニング情報とに基いて、インジケータ／ウォーニング画像９１、９２の表示状態が制御される。例えば、インジケータ／ウォーニング情報にしたがって、インジケータ／ウォーニング画像９１、９２を表示させたり表示させなかったり、または、インジケータ／ウォーニング画像９１、９２の表示色を切り替えたりする。このようにして、インジケータ／ウォーニング画像９１、９２によってインジケータ／ウォーニング情報を的確に表すことができる。
【００２３】
イグニッションスイッチ１１がオンされると、ＣＰＵ３は、バッテリ１２から給電されて作動し、表示装置１の動作が開始する。この表示装置１の動作開始時に、ＣＰＵ３は、複数の画像データのうち一部の画像データである速度メータ画像７とインジケータ／ウォーニング画像９１の各画像データを、先行させて画像メモリ４１に転送する。そして、ＣＰＵ３と描画ＩＣ４は、画像メモリ４１に記憶された速度メータ画像７とインジケータ／ウォーニング画像９１の各画像データと、入力した速度とインジケータ／ウォーニング画像９１に対応するインジケータ／ウォーニング情報とに基いて、図３に示すように、複数の情報画像６、７、８１、８２、９１，９２のうち一部の情報画像である速度メータ画像７とインジケータ／ウォーニング画像９１を、先行させて液晶パネル２に表示させる。
【００２４】
これにより、複数の画像データの全部を画像メモリ４１に転送して、複数の情報画像６、７、８１、８２、９１，９２の全部を液晶パネル２に表示させる場合と比較して、表示装置１の動作開始時から速度メータ画像７とインジケータ／ウォーニング画像９１を表示させるまでの時間を短縮できる。即ち、表示装置１の動作開始時の無表示時間を短縮できる。
【００２５】
また、ＣＰＵ３と描画ＩＣ４が、速度メータ画像７とインジケータ／ウォーニング画像９１を先行させて液晶パネル２に表示させた後に、複数の画像データのうち残部の画像データを画像メモリ４１に転送する。そして、ＣＰＵ３と描画ＩＣ４は、画像メモリ４１に記憶されたこの残部の画像データと、入力したエンジン回転数とインジケータ／ウォーニング画像９２に対応するインジケータ／ウォーニング情報等とに基いて、図２に示すように、複数の情報画像６、７、８１、８２、９１，９２のうち残部の情報画像である回転メータ画像６と水温メータ画像８１と燃料メータ画像８２とインジケータ／ウォーニング画像９２を液晶パネル２に表示させる。これにより、上述の効果を得つつ、複数の情報画像の全部を液晶パネル２に表示できる。
【００２６】
また、速度メータ画像７とインジケータ／ウォーニング画像９１は、回転メータ画像６と水温メータ画像８１と燃料メータ画像８２とインジケータ／ウォーニング画像９２より優先度の高い情報、具体的には、法規上重要な情報を表す。これにより、法規上重要な情報を早く知らせることができる。
【００２７】
次に、以上のように構成された表示装置１において、表示装置１の動作開始時においてＣＰＵ３が実行する制御フローを、図４に基いて説明する。
【００２８】
イグニッションスイッチ１１がオンされて制御フローがスタートし、ステップＳ１０でＣＰＵ３が起動したか否かを判定する。ステップＳ１０が「ＹＥＳ」の場合、即ち、ＣＰＵ３が起動したと判定された場合、ステップＳ２０で描画ＩＣ４の初期化処理を行う。
【００２９】
ステップＳ２０の後に、ステップＳ３０で、速度メータ画像７とインジケータ／ウォーニング画像９１に対応する一部の画像データを、画像メモリ４１に転送する。ステップ３０の後に、ステップＳ４０で、画像メモリ４１に記憶されたこの一部の画像データと、入力した速度とインジケータ／ウォーニング画像９１に対応するインジケータ／ウォーニング情報とに基いて、図３に示すように、速度メータ画像７とインジケータ／ウォーニング画像９１を先行させて液晶パネル２に表示させる。
【００３０】
ステップＳ４０の後に、ステップＳ５０で、回転メータ画像６と水温メータ画像８１と燃料メータ画像８２とインジケータ／ウォーニング画像９２を液晶パネル２に対応する残部の画像データを、画像メモリ４１に転送する。ステップ５０の後に、ステップＳ６０で、画像メモリ４１に記憶されたこの残部の画像データと、入力したエンジン回転数とインジケータ／ウォーニング画像９２に対応するインジケータ／ウォーニング情報等とに基いて、図２に示すように、回転メータ画像６と水温メータ画像８１と燃料メータ画像８２とインジケータ／ウォーニング画像９２を液晶パネル２に表示させる。ステップＳ４０とステップＳ６０により、複数の情報画像６、７、８１、８２、９１，９２の全部が液晶パネル２に表示される。
【００３１】
ステップＳ６０で、この制御フローを終了する。また、ステップＳ１０が「ＮＯ」の場合も、即ち、ＣＰＵ３が起動していないと判定された場合も、この制御フローを終了する。
【００３２】
以上、本実施形態による表示装置１は、複数の情報画像である回転メータ画像６と速度メータ画像７と水温メータ画像８１と燃料メータ画像８２とインジケータ／ウォーニング画像９１，９２を表示可能な表示パネルである液晶パネル２と、情報画像６、７、８１、８２、９１，９２の画像データを記憶しておく記憶手段であるＦＬＡＳＨＲＯＭ３１と、ＦＬＡＳＨＲＯＭ３１から転送された画像データを記憶する画像メモリ４１と、画像メモリ４１に記憶された画像データに基いて情報画像６、７、８１、８２、９１，９２を液晶パネル２に表示させる制御手段であるＣＰＵ３と描画ＩＣ４とを備えた表示装置１であって、ＣＰＵ３と描画ＩＣ４が、表示装置１の動作開始時に、複数の画像データのうち一部の画像データを先行させて画像メモリ４１に転送し、この一部の画像データに基いて回転メータ画像６と速度メータ画像７と水温メータ画像８１と燃料メータ画像８２とインジケータ／ウォーニング画像９１，９２のうち一部の情報画像である速度メータ画像７とインジケータ／ウォーニング画像９１を先行させて液晶パネル２に表示させる。これにより、表示装置の動作開始時の無表示時間を短縮できる。
【００３３】
（変形例）
上述の例では、速度メータ画像７とインジケータ／ウォーニング画像９１を先行させて表示させたが、先行させて表示させる先行情報画像を、複数の情報画像６、７、８１、８２、９１，９２から選択する選択手段である選択スイッチ１０（図１）を設けることも可能である。例えば、押し操作タイプの選択スイッチ１０を液晶パネル２の近傍に配置し、図２に示すように複数の情報画像６、７、８１、８２、９１，９２の全部を液晶パネル２に表示している状態で、選択スイッチ１０を操作することによって先行情報画像を選択できるように構成する。
【００３４】
この場合、選択スイッチ１０の短押し操作によって、いずれかの情報画像にマーカーが付され、この短押し操作を繰り返すことによってマーカーが付される情報画像が変わる様に構成する。また、選択スイッチ１０の長押し操作によって、マーカーが付されている情報画像を先行情報画像として図示しないメモリに記憶させる。このメモリは、電気的に記憶データの書き換えが可能な不揮発性メモリもしくはバックアップＲＡＭ（ランダムアクセスメモリ）等を含むメモリである。
【００３５】
また、液晶パネル２を、フルカラー表示をしないモノクロ液晶パネルとすることも可能である。
【００３６】
また、受光型（非発光型）の表示パネルである液晶パネル２の代わりに、発光型の表示パネルであるＥＬ（エレクトロ・ルミネセンス）表示パネルを使用することも可能である。
【００３７】
また、上述した例に限らないで、これらの組み合わせや、他の種々の変形例が考えられる。
【００３８】
更に、電気的に記憶データの書き換えが可能な不揮発性メモリとしてＦＬＡＳＨＲＯＭを用いたが、これに代えて通常のＲＯＭで勿論よい。
【図面の簡単な説明】
【００３９】
【図１】図１は、本発明の一実施形態による表示装置1の回路構成図である。
【図２】図２は、図１に示す液晶パネル２の正面図である。
【図３】図３は、速度メータ画像７等を先行させて表示させている液晶パネル２の正面図である。
【図４】図４は、図１中のＣＰＵ３が実行する制御フローを示すフローチャートである。
【符号の説明】
【００４０】
１  表示装置、２  液晶パネル（表示パネル）、２１  画素、３  ＣＰＵ（制御手段）
３１  ＦＬＡＳＨＲＯＭ（記憶手段）、４  描画ＩＣ（制御手段）、４１  画像メモリ
５１  回転センサ、５２  速度センサ、５３  インジケータ／ウォーニングセンサ
６  回転メータ画像（情報画像）、６１  指針画像、６２  目盛画像、６３  文字画像
７  速度メータ画像（情報画像）、７１  指針画像、７２  目盛画像、７３  文字画像
８１  水温メータ画像（情報画像）、８２  燃料メータ画像（情報画像）
９１、９２  インジケータ／ウォーニング画像（情報画像）
１０  選択スイッチ（選択手段）、１１  イグニッションスイッチ、１２  バッテリ
【図１】
2008275787.tif 000003
【図２】
2008275787.tif 000004
【図３】
2008275787.tif 000005
【図４】
2008275787.tif 000006